(57)【要約】【課題】容器の開口部に被着してその開口部の汚れを防止することができ、また、宣伝用又は景品用などの物品を商品の容器に添付して提供することを可能とするキャップを提供する。【解決手段】容器の開口部に被着されるキャップ部と、物品を収納しうる物品収納部を有して、上記キャップ部に連続するように形成されたケース部とを備える。上記ケース部は、上記物品収納部を有するケース本体部と、そのケース本体部にヒンジ部を介して連続するように形成され、上記ケース本体部の開口部を覆う蓋部とを備えることができる。【選択図】        図１
2004276972.tif 000002
【特許請求の範囲】
【請求項１】
容器の開口部に被着されるキャップ部と、物品を収納しうる物品収納部を有して、上記キャップ部に連続するように形成されたケース部とが備えられたことを特徴とするキャップ。
【請求項２】
上記ケース部は、上記物品収納部を有するケース本体部と、そのケース本体部にヒンジ部を介して連続するように形成され、上記ケース本体部の開口部を覆う蓋部とが備えられたことを特徴とする請求項１記載のキャップ。
【請求項３】
上記ケース部は、上記キャップ部が上記容器に被着された状態で、上記キャップ部から吊り下げられて上記容器の側面部に添って位置するようにヒンジ部を介して上記キャップ部に連続するように形成されていることを特徴とする請求項１又は２記載のキャップ。
【請求項４】
上記キャップ部及び上記ケース部はプラスチックを素材として空気圧成形されたことを特徴とする請求項１、２又は３記載のキャップ。
【請求項５】
上記空気圧成形は真空成形であることを特徴とする請求項４記載のキャップ。
【請求項６】
上記空気圧成形は圧空成形であることを特徴とする請求項４記載のキャップ。
【請求項７】
上記容器は、缶状に形成されていることを特徴とする請求項１、２、３、４、５又は６記載のキャップ。
【発明の詳細な説明】
【０００１】
【発明の属する技術分野】
本発明は、容器のキャップ、例えばビール等飲料を収納する缶等のキャップに関する。
【０００２】
【従来の技術】
従来、飲料用の容器、例えばビールの缶などは、蓋がプルトップ方式のものが多く、一度開くと、再度、蓋を閉じることができなかった。したがって、飲みかけのまま放置すると、残ったビールの気が抜けてしまうという問題があった。また、飲み口にホコリやゴミなどが付着して汚れるので不衛生であるという問題もあった。
【０００３】
このような問題を解決するために、従来、飲み口が形成される缶の一端面の上に被せる各種のオーバーキャップが考案されている（例えば、特許文献１参照）。
【０００４】
また、キャップに他の用途を付加して有用性を高めたもの、例えばプレミアムを缶に添付できるように構成されたキャップなども考案されている（例えば、特許文献２参照）。
【０００５】
【特許文献１】
特開２００２−３０８３０４号公報
【特許文献２】
特開平１１−１５７５４３号公報
【０００６】
ところで、商品の販促キャンペーンなどで、その商品の宣伝用品や景品などを、その商品に添付して消費者に提供したいという要請がある。しかしながら、従来のキャップはこのような要請に応えることが困難であった。
【０００７】
また、商品の宣伝用品や景品などを商品に添付する場合、上記特許文献２に記載されたもののように、缶に被せるキャップ内部に収納することも一つの方法ではあるが、宣伝用品や景品には、例えばシールやカード状のものなど、キャップ内部に収納しにくい形状のものが多い。
【０００８】
【発明が解決しようとする課題】
本発明は、上記の問題を解決すること、すなわち、容器の開口部に被着してその開口部の汚れを防止することができ、また、宣伝用又は景品用などの物品を商品の容器に添付して提供することを可能とし、しかも、それら宣伝用又は景品用などの物品がキャップ内部に収納しにくいシールやカード状のものであっても容易に添付することができるキャップの提供を課題とする。
【０００９】
【課題を解決するための手段】
上記課題を解決するために、本発明のキャップは、容器の開口部に被着されるキャップ部と、物品を収納しうる物品収納部を有して、上記キャップ部に連続するように形成されたケース部とが備えられたことを特徴とするものである。
【００１０】
また、上記ケース部は、上記物品収納部を有するケース本体部と、そのケース本体部にヒンジ部を介して連続するように形成され、上記ケース本体部の開口部を覆う蓋部とが備えられたものとすることができる。
【００１１】
また、上記ケース部は、上記キャップ部が上記容器に被着された状態で、上記キャップ部から吊り下げられて上記容器の側面部に添って位置するようにヒンジ部を介して上記キャップ部に連続するように形成されているものとすることができる。
【００１２】
また、上記キャップ部及び上記ケース部はプラスチックを素材として空気圧成形されたものとすることができる。
【００１３】
また、上記空気圧成形は真空成形とすることができる。
【００１４】
また、上記空気圧成形は圧空成形とすることができる。
【００１５】
また、上記容器は、缶状に形成されているものとすることができる。
【００１６】
【発明の実施の形態】
以下、添付した図面を用いて本発明の実施の形態について説明する。まず、本実施の形態に係るキャップ１は、図１及び図２に示すように、容器の開口部に被着されるキャップ部２と、物品を収納しうる物品収納部４を有して、上記キャップ部２に連続するように形成されたケース部３とが備えられている。
また、上記ケース部３は、同じく図１及び図２に示すように、上記物品収納部４を有するケース本体部５と、そのケース本体部５にヒンジ部６を介して連続するように形成され、上記ケース本体部５の開口部７を覆う蓋部８とが備えられている。
また、上記ケース部３は、図３に示すように、上記キャップ部２が上記容器に被着された状態で、上記キャップ部２から吊り下げられて上記容器の側面部に添って位置するようにヒンジ部９を介して上記キャップ部２に連続するように形成されている。
また、上記キャップ部２及び上記ケース部３はプラスチックを素材として空気圧成形されている。
また、上記空気圧成形として真空成形又は圧空成形が行なわれている。
また、上記容器は、図３に示すように、缶状に形成されている。
【００１７】
本実施の形態に係るキャップ１は、ビール等の飲料を入れる缶１０を対象容器としている。したがって、上記キャップ部２は、缶１０に被着できるように、図１に示すように、平面形状が円形になっている。
【００１８】
なお、容器及びその容器に収納する商品が異なる場合は、もちろん、キャップ部の形状もその容器の形状に合わせることができる。
【００１９】
上記キャップ部２は、図３に示すように、缶１０の天面部１１の上に被着しうる構造になっている。なお、缶１０の天面部１１には、ワンタッチ操作で飲み口を開口しうるプルトップ方式の蓋（図は省略）が設けられている。
【００２０】
上記キャップ部２には、缶１０の天面部１１の上に被着した状態を固定できるように、缶１０の天面部１１の周縁部に係合しうる環状の係合溝部１２が形成されている。
【００２１】
また、上記キャップ部２は、図２に示すように、上記係合溝部１２の内側に上方へ膨出して内部が中空の隆起部１３が形成され、その隆起部１３の内部空間に缶１０の天面部１１に取り付けられたプルタブを収容可能としている。
【００２２】
上記キャップ部２には、図１及び図２に示すように、上記ケース部３が連続するように一体に形成されている。
【００２３】
上記キャップ部２と上記ケース部３は、Ｕ字状のヒンジ部９を介して連続している。このヒンジ部９は、上記キャップ部２に対し上記ケース部３を折り曲げ可能とするもので、図３に示すように、上記ケース部３は上記キャップ部２に対し少なくとも略９０度折り曲げ可能となっている。
【００２４】
上記ケース部３には、図１及び図２に示すように、ケース本体部５と、そのケース本体部５にヒンジ部６を介して連続するように形成された蓋部８とが備えられている。
【００２５】
上記ケース本体部５は、図２に示すように、上記キャップ部２と同一平面上に位置した場合に、上記キャップ部２と同じく下方を開口するように形成されている。すなわち、開口部７が下向きに形成されている。
【００２６】
上記ケース本体部５は内部空間が上下２段に分かれていて、図２に示すように、その境界に段部１４が形成されている。その段部１４より上方には上記物品収納部４が形成され、上記段部１４より下方には蓋嵌合部１５が形成されている。
【００２７】
なお、本実施の形態に係る上記ケース本体部５の上記物品収納部４は、図３に示すように、宣伝用又は景品用として矩形のシール又はカード１８を収納することとしているため、図１に示すように矩形に形成されているが、収納する物品が異なる場合は、それらの形状に合わせた形状に上記物品収納部を形成することができる。
【００２８】
上記蓋部８は、上記のように、ヒンジ部６を介してケース本体部５と連続している。そのヒンジ部６は略逆Ｕ字状に形成され、上記ケース本体部５に対し上記蓋部８を略１８０度折り曲げ可能としている。
【００２９】
上記蓋部８は、図２に示すように、上記ケース本体部５と同一平面上に位置した場合に、下面側が凸部１６となり、上面側が凹部１７となるように形成されている。
【００３０】
上記蓋部８は、図２の状態から、ケース本体部５に対し略１８０度折り曲げることにより、図３に示すように、上記凸部１６を上記ケース本体部５における上記蓋嵌合部１５に嵌着しうるように形成されている。上記凸部１６が上記蓋嵌合部１５に嵌着した状態では、上記凸部１６の端部が上記段部１４に当接する。
【００３１】
上記キャップ部２と上記ケース部３は空気圧成形により一体成形されている。なお、この空気圧成形には真空成形と圧空成形（圧縮空気圧成形）の両方を含むものとする。例えば、真空成形によれば、素材シートを型の上にクランプした状態で加熱軟化させ、その素材シートと型との間を真空にして、素材シートを型に密着させて成形し、冷却後、真空を切って成形品を取り出すことにより製造することができる。また、圧空成形によれば、加熱して軟化させたプラスチックシートをクランプし、圧縮空気の力でシートを引き延ばして型に沿わせ、成形品を得ることができる。なお、他の成形方法、例えばインジェクション成形などによっても上記キャップ部２と上記ケース部３とを一体成形することは可能であるが、金型製作に時間がかかり、コストが高くなるので、実用的でない。これに対し、空気圧成形の場合は、金型の製作が容易でコストを低減することができる。また、空気圧成形にすると、金型形状の自由度、及び製品形状の自由度が高いというメリットがある。
【００３２】
なお、上記素材シートには、ポリプロピレンやポリエチレン等のオレフィン系樹脂が用いられている。こららの樹脂は塩ビ等のように焼却したときにダイオキシン等の有害物質を発生しないので、環境問題にも対応することができる。
【００３３】
また、上記素材シートには透明な樹脂を使用している。これは、上記ケース部３に収納した宣伝用又は景品用の物品としてのシール又はカード１８を外部から透視できるようにするためである。なお、上記ケース部３に収納した物品を隠したい場合は、もちろん、不透明な樹脂を使用することができる。
【００３４】
【作用】
上記ケース部３のケース本体部５における物品収納部４には、容器に入れる商品に係る宣伝用又は景品用の物品となるシールもしくはカード１８を収納することができる。なお、上記物品収納部４に収納する物品は自由であり、宣伝用又は景品用に限定するものではない。例えば、商品のオマケなどを収納することもできる。また、上記缶１０にビールや酒が入っている場合は、上記物品収納部４にオツマミなどを収納することもできる。そして、上記ケース本体部５に対し上記蓋部８を上記ヒンジ部６により略１８０度折り曲げて、図３に示すように、上記蓋部８の凸部１６を上記ケース本体部５における上記蓋嵌合部１５に嵌着させる。これにより、ケース本体部５の開口部７は閉じられ、物品収納部４に入れた宣伝用又は景品用の物品としてのシールもしくはカード１８の脱落が防止される。
【００３５】
次に、図３に示すように、上記キャップ部２を缶１０の上端部に被着させる。この場合、上記キャップ部２に形成された上記係合溝部１２を缶１０の天面部１１の周縁部に係合させることにより、上記キャップ部２を安易に外れないように固定することができる。
【００３６】
上記キャップ部２を缶１０の上端部に被着させた状態では、図３に示すように、上記ヒンジ部９により、上記ケース部３は上記キャップ部２に対し略９０度折れ曲がった状態となり、缶１０の側面部に添って吊り下げられた状態となり、上記ケース部３の物品収納部４に入れた宣伝用又は景品用の物品としてのシールもしくはカード１８が見やすくなる。
【００３７】
【発明の効果】
請求項１記載の本発明のキャップは、キャップ部が容器の開口部を覆って、容器の開口部、例えば缶の飲み口にホコリやゴミが付着することを防止し、飲み口を衛生的に保つことができるとともに、ケース部に商品に係る宣伝用又は景品用の物品などを収納して商品に添付することができる。したがって、消費者に喜ばれるので、宣伝効果を高めることができる。また、商品に係る宣伝用又は景品用などの物品がキャップ内部に収納しにくいシールやカード状のものであっても、ケース部はそれらの形状に合わせて形成できるので容易に対応することができる。また、ケース部には商品のオマケやオツマミなどを収納することもできるので、用途が広い。
また、請求項２記載の本発明のキャップは、蓋部を開くことによりケース本体部の開口部を開口して、ケース本体部の収納部へ商品に係る宣伝用又は景品用などの物品を容易に収納することができる。また、蓋部を閉じることにより、ケース部からの商品に係る宣伝用又は景品用などの物品の脱落を防止することができる。また、蓋部はヒンジ部を介してケース部と連続しているので、蓋部が紛失することもない。
また、請求項３記載の本発明のキャップは、キャップ部が容器に被着された状態で、ケース部がキャップ部から吊り下げられて容器の側面部に添って位置するので、そのケース部に収納された商品に係る宣伝用又は景品用などの物品が見やすくなり、人目を引いて宣伝効果が高まる。また、ケース部はキャップ部とヒンジ部を介して連続し、上記のように吊り下げ状態となるので、ケース部を特に容器に対し取り付ける煩雑な作業が不要である。
また、請求項４記載の本発明のキャップは、キャップ部とケース部がプラスチックを素材として一体に空気圧成形されるので、他のインジェクション成形などに比べコストを低減し、安価で提供することができる。また、空気圧成形では、ポリプロピレンやポリエチレン等の焼却してもダイオキシン等有害物質を発生しないオレフィン系樹脂を使用できるので、環境問題にも容易に対応することができる。
また、請求項５記載の本発明のキャップは、真空成形により形成されるので、金型コストを抑えて製造コストを低減することができる。
また、請求項６記載の本発明のキャップは、圧空成形により形成されるので、真空成形に比べ成形圧を高めて型により忠実な成形品が得られるというメリットがある。
また、請求項７記載の本発明のキャップは、容器を缶状に形成されているものとすることにより、様々な飲料や食べ物等の缶に広く使用することができる。
【図面の簡単な説明】
【図１】キャップの平面図である。
【図２】図１のＡ−Ａ線における断面図である。
【図３】キャップを缶に被着した使用状態の断面図である。
【符号の説明】
１  キャップ
２  キャップ部
３  ケース部
４  物品収納部
５  ケース本体部
６  ヒンジ部
７  開口部
８  蓋部
９  ヒンジ部
１０  缶
１１  天面部
１２  係合溝部
１３  隆起部
１４  段部
１５  蓋部嵌合部
１６  凸部
１７  凹部
１８  カード
【図１】
2004276972.tif 000003
【図２】
2004276972.tif 000004
【図３】
2004276972.tif 000005